(57)【要約】      （修正有）【課題】外観上のデザインを損なうことなく、簡易な構成で腹部を引き締めることができるジーンズを提供する。【解決手段】右前身頃１２ＦＲと右後身頃１２ＲＲの脇線１２ＦＲａ，１２ＲＲａと内股線を縫合して形成される右身頃と、左前身頃１２ＦＬと左後身頃１２ＲＬの脇線１２ＦＬａ，１２ＲＬａと内股線を縫合して形成される左身頃と、前開きを構成する持出し部２８と、持出し部２８を覆う前立て部３０とを備えるジーンズにおいて、右前身頃１２ＦＲに設けられる右前ポケットのポケット袋布１６Ｒａの右側の側縁１６Ｒａ２を右前身頃１２ＦＲの脇線１２ＦＲａに縫合し、左側の側縁１６Ｒａ３を持出し部２８に縫合すると共に、左前身頃１２ＦＬに設けられる左前ポケットのポケット袋布１６Ｌａの左側の側縁１６Ｌａ２を左前身頃１２ＦＬの脇線１２ＦＬａに縫合し、右側の側縁１６Ｌａ３を前立て部３０に縫合する。【選択図】図４
0003191819.tif 000002
【実用新案登録請求の範囲】
【請求項１】
右前身頃の脇線と右後身頃の脇線を縫合すると共に、前記右前身頃の内股線と前記右後身頃の内股線を縫合して形成される右身頃と、左前身頃の脇線と左後身頃の脇線を縫合すると共に、前記左前身頃の内股線と前記左後身頃の内股線を縫合して形成される左身頃と、前記右身頃と左身頃の穿き口側の端部に接続されるベルト部と、前記右前身頃に設けられる右前ポケットと、前記左前身頃に設けられる左前ポケットと、前記右前身頃に設けられ、前開きを構成する持出し部と、前記左前身頃に設けられ、前記持出し部を覆う前立て部とを備えるジーンズにおいて、前記右前身頃の裏面側に位置する前記右前ポケットのポケット袋布の右側の側縁を前記右前身頃の脇線に縫合し、左側の側縁を前記持出し部に縫合すると共に、前記左前身頃の裏面側に位置する前記左前ポケットのポケット袋布の左側の側縁を前記左前身頃の脇線に縫合し、右側の側縁を前記前立て部に縫合したことを特徴とするジーンズ。
【請求項２】
前記ベルト部と前記右前ポケットの間と前記ベルト部と前記左前ポケットの間にそれぞれヨークを縫合したことを特徴とする請求項１記載のジーンズ。
【請求項３】
前記右前ポケットのポケット袋布の前記左側の側縁と前記持出し部とを縫合する縫合線の長さを、前記右前ポケットのポケット袋布の前記右側の側縁と前記右前身頃の脇線とを縫合する縫合線の長さよりも小さくすると共に、前記左前ポケットのポケット袋布の前記右側の側縁と前記前立て部とを縫合する縫合線の長さを、前記左前ポケットのポケット袋布の前記左側の側縁と前記左前身頃の脇線とを縫合する縫合線の長さよりも小さくしたことを特徴とする請求項１または２記載のジーンズ。
【請求項４】
前記右前ポケットのポケット袋布の前記左側の側縁と前記持出し部とを縫合する縫合線の長さを、前記右前ポケットのポケット袋布の前記右側の側縁と前記右前身頃の脇線とを縫合する縫合線の長さの半分以下とすると共に、前記左前ポケットのポケット袋布の前記右側の側縁と前記前立て部とを縫合する縫合線の長さを、前記左前ポケットのポケット袋布の前記左側の側縁と前記左前身頃の脇線とを縫合する縫合線の長さの半分以下としたことを特徴とする請求項３記載のジーンズ。
【考案の詳細な説明】
【技術分野】
【０００１】
この考案は、ジーンズに関し、より詳しくは着用者の腹部を引き締めて、腹部周辺をすっきり見せるようにしたジーンズに関する。
【０００２】
従来より、着用者の腹部を引き締めて、腹部周辺をスッキリ見せるようにしたパンツ（ジーンズを含む）が種々提案されており、その例として特許文献１記載の技術を挙げることができる。
【０００３】
特許文献１記載の技術は、スラックスに関するものであるが、裏地に伸縮性を有する生地を用い、この裏地によって腹部を引き締めるようにしたものである。
【先行技術文献】
【特許文献】
【０００４】
【特許文献１】特開２００６−２０００４９号公報
【考案の開示】
【考案が解決しようとする課題】
【０００５】
しかしながら、スラックスではなく、例えばジーンズを対象として考えた場合、ジーンズにはそもそも特許文献１記載の技術のような裏地が存在しない。したがって、裏地によって腹部を引き締めようとすると、当然に裏地を取り付ける必要があるが、そうすると部品点数が増加したり、製造工数が増加するなどの不都合が生じる。また、ジーンズは比較的体型にフィットするものが多いため、裏地を取り付けると着用者の肌に裏地が繰り返し接触し、着用者に違和感を与えるおそれがある。さらに、裏地を取り付けることによって腹部周辺の生地が嵩張るため、特にスリムなジーンズでは外観上のデザインに悪影響を及ぼすことも考えられる。
【０００６】
そこで、この考案の目的は上記した課題を解決し、外観上のデザインを損なうことなく、簡易な構成で腹部を引き締めることができるジーンズを提供することにある。
【課題を解決するための手段】
【０００７】
上記の課題を解決するために、請求項１にあっては、右前身頃の脇線と右後身頃の脇線を縫合すると共に、前記右前身頃の内股線と前記右後身頃の内股線を縫合して形成される右身頃と、左前身頃の脇線と左後身頃の脇線を縫合すると共に、前記左前身頃の内股線と前記左後身頃の内股線を縫合して形成される左身頃と、前記右身頃と左身頃の穿き口側の端部に接続されるベルト部と、前記右前身頃に設けられる右前ポケットと、前記左前身頃に設けられる左前ポケットと、前記右前身頃に設けられ、前開きを構成する持出し部と、前記左前身頃に設けられ、前記持出し部を覆う前立て部とを備えるジーンズにおいて、前記右前身頃の裏面側に位置する前記右前ポケットのポケット袋布の右側の側縁を前記右前身頃の脇線に縫合し、左側の側縁を前記持出し部に縫合すると共に、前記左前身頃の裏面側に位置する前記左前ポケットのポケット袋布の左側の側縁を前記左前身頃の脇線に縫合し、右側の側縁を前記前立て部に縫合するように構成した。
【０００８】
請求項２に係るジーンズにあっては、前記ベルト部と前記右前ポケットの間と前記ベルト部と前記左前ポケットの間にそれぞれヨークを縫合するように構成した。
【０００９】
請求項３に係るジーンズあっては、前記右前ポケットのポケット袋布の前記左側の側縁と前記持出し部とを縫合する縫合線の長さを、前記右前ポケットのポケット袋布の前記右側の側縁と前記右前身頃の脇線とを縫合する縫合線の長さよりも小さくすると共に、前記左前ポケットのポケット袋布の前記右側の側縁と前記前立て部とを縫合する縫合線の長さ
を、前記左前ポケットのポケット袋布の前記左側の側縁と前記左前身頃の脇線とを縫合する縫合線の長さよりも小さくするように構成した。
【００１０】
請求項４に係るジーンズにあっては、前記右前ポケットのポケット袋布の前記左側の側縁と前記持出し部とを縫合する縫合線の長さを、前記右前ポケットのポケット袋布の前記右側の側縁と前記右前身頃の脇線とを縫合する縫合線の長さの半分以下とすると共に、前記左前ポケットのポケット袋布の前記右側の側縁と前記前立て部とを縫合する縫合線の長さを、前記左前ポケットのポケット袋布の前記左側の側縁と前記左前身頃の脇線とを縫合する縫合線の長さの半分以下とするように構成した。
【考案の効果】
【００１１】
請求項１に係るジーンズにあっては、右前身頃の裏面側に位置する右前ポケットのポケット袋布の右側の側縁を右前身頃の脇線に縫合し、左側の側縁を持出し部に縫合すると共に、左前身頃の裏面側に位置する左前ポケットのポケット袋布の左側の側縁を左前身頃の脇線に縫合し、右側の側縁を前立て部に縫合するように構成したので、左右のポケット袋布で着用者の腹部を引き締めることができる。すなわち、左右のポケット袋布の両側縁を一定の張力をもって前身頃に縫合することも可能となるため、ポケット袋布によって腹部を押さえて引き締めることができる。また、腹部を引き締めるのに、裏地などを用いる必要もないので、簡易な構成とすることができ、しかも生地が嵩張って外観上のデザインに悪影響を及ぼすこともない。
【００１２】
請求項２に係るジーンズにあっては、ベルト部と右前ポケットの間とベルト部と左前ポケットの間にそれぞれヨークを縫合するように構成したので、上記した効果に加え、ヨークの縫合部（ステッチ）によっても腹部を引き締めることができる。すなわち、縫合部は生地のように伸びずに硬くなるため、この縫合部によっても腹部を押さえて引き締めることができる。したがって、上記したポケット袋布と相俟って、腹部の引き締め効果を一層高めることができる。さらに、縫合部は前身頃に横方向に直線状に延びるので、視覚的にも腹部周辺をシャープに見せることができる。
【００１３】
請求項３に係るジーンズにあっては、右前ポケットのポケット袋布の左側の側縁と持出し部とを縫合する縫合線の長さを、右前ポケットのポケット袋布の右側の側縁と右前身頃の脇線とを縫合する縫合線の長さよりも小さくすると共に、左前ポケットのポケット袋布の右側の側縁と前立て部とを縫合する縫合線の長さを、左前ポケットのポケット袋布の左側の側縁と左前身頃の脇線とを縫合する縫合線の長さよりも小さくするように構成したので、上記した効果に加え、ポケット袋布の両側縁を前身頃に縫合して着用者の腹部を押さえるようにしても、それによって着用者の動きが制限される（動き難くなる）ということはない。すなわち、縫合線の長さを上記のように工夫することで、ポケット袋布の両側縁を前身頃に縫合したことによる動き難さが軽減される。
【００１４】
請求項４に係るジーンズにあっては、右前ポケットのポケット袋布の左側の側縁と持出し部とを縫合する縫合線の長さを、右前ポケットのポケット袋布の右側の側縁と右前身頃の脇線とを縫合する縫合線の長さの半分以下とすると共に、左前ポケットのポケット袋布の右側の側縁と前立て部とを縫合する縫合線の長さを、左前ポケットのポケット袋布の左側の側縁と左前身頃の脇線とを縫合する縫合線の長さの半分以下とするように構成したので、上記した効果に加え、ポケット袋布の両側縁を前身頃に縫合したことによる動き難さが一層軽減される。また、着用者の腹部を一層しっかりと押さえることができる。
【図面の簡単な説明】
【００１５】
【図１】この考案の実施例に係るジーンズの正面図である。
【図２】図１に示すジーンズの背面図である。
【図３】図１に示すジーンズの右身頃と左身頃の表面側の一部を展開して表す展開図である。
【図４】図１に示すジーンズの右身頃と左身頃の裏面側の一部を展開して表す展開図である。
【図５】前身頃にヨークがない場合の図３と同様の展開図である。
【図６】図４に示すポケット袋布とは異なる態様のポケット袋布を示す図４と同様の展開図である。
【考案を実施するための形態】
【００１６】
以下、添付図面に即してこの考案に係るジーンズを実施するための形態について説明する。
【実施例】
【００１７】
図１はこの考案の実施例に係るジーンズの正面図、図２は図１に示すジーンズの背面図、図３は図１に示すジーンズの右身頃と左身頃の表面側の一部を展開して表す展開図、図４は図１に示すジーンズの右身頃と左身頃の裏面側の一部を展開して表す展開図である。
【００１８】
なお、この明細書において「右」または「左」とは、着用者にとって右または左を意味する。また、「表面側」とは、生地の表側、すなわち、ジーンズを着用したときに着用者に接触しない側を意味し、「裏面側」とは、生地の裏側、すなわち、ジーンズを着用したときに着用者に接触する側を意味する。
【００１９】
図１および図２において、符号１０はデニム生地からなる女性用ジーンズ（以下単に「ジーンズ」という）を示す。ジーンズ１０は、右身頃１２Ｒと、左身頃１２Ｌと、右身頃１２Ｒと左身頃１２Ｌの上（穿き口）側の端部に接続されるベルト部１４とを備える。
【００２０】
右身頃１２Ｒは、右前身頃１２ＦＲの脇線１２ＦＲａと右後身頃１２ＲＲの脇線１２ＲＲａを縫合すると共に、右前身頃１２ＦＲの内股線１２ＦＲｂと右後身頃１２ＲＲの内股線１２ＲＲｂを縫合して形成される。また、左身頃１２Ｌは、左前身頃１２ＦＬの脇線１２ＦＬａと左後身頃１２ＲＬの脇線１２ＲＬａを縫合すると共に、左前身頃１２ＦＬの内股線１２ＦＬｂと左後身頃１２ＲＬの内股線１２ＲＬｂを縫合して形成される。
【００２１】
右前身頃１２ＦＲには右前ポケット１６Ｒが形成され，左前身頃１２ＦＬには左前ポケット１６Ｌが形成される。なお、右前ポケット１６Ｒの内側にはコインポケット１８が取り付けられる。
【００２２】
図２に示すように、右後身頃１２ＲＲと左後身頃１２ＲＬには、それぞれ右後ポケット２０Ｒと左後ポケット２０Ｌが取り付けられる。また、ベルト部１４と右後ポケット２０Ｒや左後ポケット２０Ｌとの間には、略台形状を呈する２枚の生地からなる後ヨーク２２が縫合される。さらに、後ヨーク２２と右後ポケット２０Ｒの間または後ヨーク２２と左後ポケット２０Ｌの間には、それぞれダーツ２４が形成される。
【００２３】
図３および図４に示すように、右前身頃１２ＦＲには、前開きを構成する持出し部２８が取り付けられ、左前身頃１２ＦＬには、持出し部２８を覆う前立て部３０が設けられる。また、持出し部２８と前立て部３０には、それぞれファスナ２８ａ，３０ａが取り付けられる。
【００２４】
以上がこの実施例に係るジーンズ１０の大まかな構成であるが、次にジーンズ１０の特徴である右前身頃１２ＦＲと左前身頃１２ＦＬに取り付けられるヨークならびに右前ポケット１６Ｒと左前ポケット１６Ｌのポケット袋布について説明する。なお、以下では、「右前身頃１２ＦＲと左前身頃１２ＦＬ」を単に「前身頃１２ＦＲ，１２ＦＬ」と、「右前ポケット１６Ｒと左前ポケット１６Ｌ」を単に「前ポケット１６Ｒ，１６Ｌ」という場合もある。
【００２５】
図５は前身頃にヨークがない場合の図３と同様の展開図、図６はジーンズ１０のポケット袋布とは異なる態様のポケット袋布を示す図４と同様の展開図である。
【００２６】
先ず前身頃１２ＦＲ，１２ＦＬに取り付けられるヨークについて説明する。図５に示すように、通常ジーンズ１００の前身頃１２０ＦＲ，１２０ＦＬにはヨークは取り付けられない。ヨークは、フラットな素材を身体の曲線などに合わせて立体的にし、着用時のフィット感を向上させるものである。したがって、ヨークは、通常後身頃１２０ＲＲ，１２０ＲＬの腰部周辺に取り付けられるが、前身頃１２０ＦＲ，１２０ＦＬには取り付けられない。
【００２７】
しかしこの実施例に係るジーンズ１０では、図３および図４に示すように、右前身頃１２ＦＲと左前身頃１２ＦＬにそれぞれ右前ヨーク３２Ｒと左前ヨーク３２Ｌ（「右前ヨーク３２Ｒと左前ヨーク３２Ｌ」を以下単に「前ヨーク３２Ｒ，３２Ｌ」という場合もある）が取り付けられる。前ヨーク３２Ｒ，３２Ｌは、略台形状を呈する生地からなり、ベルト部１４と前ポケット１６Ｒ，１６Ｌとの間に縫合される。
【００２８】
具体的には、右前ヨーク３２Ｒの右側の側辺（側縁）が脇線１２ＦＲａに、左側の側辺が持出し部２８に、上側の辺（端縁）がベルト部１４に、そして下側の辺が右前ポケット１６Ｒの開口部上方位置に縫合される。同様に、左前ヨーク３２Ｌの左側の側辺が脇線１２ＦＬａに、右側の側辺が前立て部３０に、上側の辺がベルト部１４に、そして下側の辺が左前ポケット１６Ｌの開口部上方位置に縫合される。
【００２９】
前ヨーク３２Ｒ，３２Ｌの下側の辺は、前ポケット１６Ｒ，１６Ｌの開口部の上方を、ちょうど着用者の腹部を横切るように直線状に縫合される。また、この下側の辺の縫合部３２Ｒｓ，３２Ｌｓはダブルステッチからなる。
【００３０】
このように、前ヨーク３２Ｒ，３２Ｌの下側の辺の縫合部３２Ｒｓ，３２Ｌｓを、着用者の腹部を横切るように位置させると共に、ダブルステッチとして硬く伸びないように構成することで、着用者がジーンズ１０を着用したとき、縫合部３２Ｒｓ，３２Ｌｓで着用者の腹部が前方（外側）に張り出すのを押さえることができる。また、縫合部３２Ｒｓ，３２Ｌｓは、前ポケット１６Ｒ，１６Ｌの開口部の上側を横方向に直線状に延びるように形成されるため、視覚的にも腹部周辺をシャープ（スリム）に見せることができる。
【００３１】
次にジーンズ１０の前ポケット１６Ｒ，１６Ｌのポケット袋布について説明する。図６に示すように、通常ジーンズ１００の前ポケットのポケット袋布１６０Ｒａ，１６０Ｌａは、前身頃１２０ＦＲ，１２０ＦＬの裏面側において、上側の辺１６０Ｒａ１，１６０Ｌａ１と、左右の両側辺（側縁）１６０Ｒａ２，１６０Ｒａ３，１６０Ｌａ２，１６０Ｌａ３のうちの一方の側辺１６０Ｒａ２，１６０Ｌａ２のみが前身頃１２０ＦＲ，１２０ＦＬに縫合される。すなわち、ポケット袋布１６０Ｒａ，１６０Ｌａは、外形を構成する上下左右の四辺のうち、上側の辺１６０Ｒａ１，１６０Ｌａ１と、右側か左側のいずれか一方の側辺１６０Ｒａ２，１６０Ｌａ２のみが前身頃１２０ＦＲ，１２０ＦＬに縫合されるようになっている。
【００３２】
しかしこの実施例に係るジーンズ１０では、図４に示すように、右前ポケット１６Ｒの右ポケット袋布１６Ｒａと左前ポケット１６Ｌの左ポケット袋布１６Ｌａの左右の両側辺１６Ｒａ２，１６Ｒａ３，１６Ｌａ２，１６Ｌａ３が、ともに右前身頃１２ＦＲと左前身頃１２ＦＬに縫合される。
【００３３】
具体的には、右ポケット袋布１６Ｒａの上側の辺１６Ｒａ１が右前ヨーク３２Ｒの下側の辺に、右側の側辺１６Ｒａ２が右前身頃１２ＦＲの脇線１２ＦＲａに、左側の側辺１６Ｒａ３が持出し部２８に縫合される。また、左ポケット袋布１６Ｌａの上側の辺１６Ｌａ１が左前ヨーク３２Ｌの下側の辺に、左側の側辺１６Ｌａ２が左前身頃１２ＦＬの脇線１２ＦＬａに、右側の側辺１６Ｌａ３が前立て部３０に縫合される。すなわち、右ポケット袋布１６Ｒａと左ポケット袋布１６Ｌａ（「右ポケット袋布１６Ｒａと左ポケット袋布１６Ｌａ」を以下単に「ポケット袋布１６Ｒａ，１６Ｌａ」という場合もある）は、下側の辺１６Ｒａ４，１６Ｌａ４を除いて上側の辺１６Ｒａ１，１６Ｌａ１と左右の両側辺１６Ｒａ２，１６Ｒａ３，１６Ｌａ２，１６Ｌａ３が前身頃１２ＦＲ，１２ＦＬに縫合される。
【００３４】
また、ポケット袋布１６Ｒａ，１６Ｌａの両側辺１６Ｒａ２，１６Ｒａ３，１６Ｌａ２，１６Ｌａ３は、前身頃１２ＦＲ，１２ＦＬに一定の張力をもって縫合される。つまり、ポケット袋布１６Ｒａ，１６Ｌａの両側辺１６Ｒａ２，１６Ｒａ３，１６Ｌａ２，１６Ｌａ３を前身頃１２ＦＲ，１２ＦＬに縫合したとしても、張力がなく弛んだ状態で縫合されたのでは、ポケット袋布１６Ｒａ，１６Ｌａで着用者の腹部を押さえることができない。したがって、ポケット袋布１６Ｒａ，１６Ｌａは、着用者がジーンズ１０を着用したときに、着用者の腹部を押さえることができる程度の一定の張力をもって前身頃１２ＦＲ，１２ＦＬに縫合される。なお、ポケット袋布１６Ｒａ，１６Ｌａは、非伸縮性素材からなる生地、例えばポリエステルと綿の織物などから製作される。
【００３５】
このように、ポケット袋布１６Ｒａ，１６Ｌａを非伸縮性素材からなる生地で構成し、かつポケット袋布１６Ｒａ，１６Ｌａの両側辺１６Ｒａ２，１６Ｒａ３，１６Ｌａ２，１６Ｌａ３を一定の張力をもって前身頃１２ＦＲ，１２ＦＬに縫合することで、ポケット袋布１６Ｒａ，１６Ｌａで着用者の腹部を押さえて引き締めることができる。
【００３６】
したがって、ジーンズ１０は、ポケット袋布１６Ｒａ，１６Ｌａと、上記した前ヨーク３２Ｒ，３２Ｌの縫合部３２Ｒｓ，３２Ｌｓとの相乗効果によって腹部の引き締め効果を一層高めることができる。
【００３７】
また、ジーンズ１０では、腹部を引き締めるのに裏地などを用いる必要もないので、簡易な構成とすることができ、しかも裏地によって生地が嵩張って外観上のデザインに悪影響を及ぼすこともない。さらに、ポケット袋布１６Ｒａ，１６Ｌａの両側辺１６Ｒａ２，１６Ｒａ３，１６Ｌａ２，１６Ｌａ３を前身頃１２ＦＲ，１２ＦＬに一定の張力をもって縫合したので、ポケット袋布１６Ｒａ，１６Ｌａは、前身頃１２ＦＲ，１２ＦＬの裏面側でしわとなって嵩張ることなくすっきりと納まる。
【００３８】
ところで、ポケット袋布１６Ｒａ，１６Ｌａの両側辺１６Ｒａ２，１６Ｒａ３，１６Ｌａ２，１６Ｌａ３を前身頃１２ＦＲ，１２ＦＬに縫合して着用者の腹部を押さえるようにすると、ポケット袋布１６Ｒａ，１６Ｌａが邪魔になって、例えば着用者の股関節等の動きが妨げられる（股関節等を動かし難くなる）ことが想定される。
【００３９】
しかしながら、図４に示すように、ポケット袋布１６Ｒａ，１６Ｌａの下側の辺１６Ｒａ４，１６Ｌａ４を、前身頃１２ＦＲ，１２ＦＬの脇線１２ＦＲａ，１２ＦＬａから持出し部２８や前立て部３０がある前身頃１２ＦＲ，１２ＦＬの中央部に向かうにしたがって徐々に高さ寸法が小さくなるように湾曲させる（絞り込ませる）ことにより、換言すると、ポケット袋布１６Ｒａ，１６Ｌａの下側の辺１６Ｒａ４，１６Ｌａ４の形状を、股関節、特に前身頃１２ＦＲ，１２ＦＬの中央部付近に位置する股間部に近いところの股関節部分にポケット袋布１６Ｒａ，１６Ｌａが当たらない（干渉しない）ように工夫することで、ポケット袋布１６Ｒａ，１６Ｌａの両側辺１６Ｒａ２，１６Ｒａ３，１６Ｌａ２，１６Ｌａ３を前身頃１２ＦＲ，１２ＦＬに縫合したとしても、ポケット袋布１６Ｒａ，１６Ｌａが邪魔になって股関節等が動かし難くなるということはない。
【００４０】
具体的には、右前ポケット１６Ｒのポケット袋布１６Ｒａの左側の側辺１６Ｒａ３と持出し部２８とを縫合する縫合線の長さｌ１を、右側の側辺１６Ｒａ２と右前身頃１２ＦＲの脇線１２ＦＲａとを縫合する縫合線の長さｌ２よりも小さく（短く）し、左前ポケット１６Ｌのポケット袋布１６Ｌａの右側の側辺１６Ｌａ３と前立て部３０との縫合線の長さｌ３を、左側の側辺１６Ｌａ２と左前身頃１２ＦＬの脇線１２ＦＬａとを縫合する縫合線の長さｌ４よりも小さくなるように構成した。
【００４１】
より具体的には、右前ポケット１６Ｒのポケット袋布１６Ｒａの左側の側辺１６Ｒａ３と持出し部２８とを縫合する縫合線の長さｌ１を、右側の側辺１６Ｒａ２と右前身頃１２ＦＲの脇線１２ＦＲａとを縫合する縫合線の長さｌ２の半分以下とし、左前ポケット１６Ｌのポケット袋布１６Ｌａの右側の側辺１６Ｌａ３と前立て部３０との縫合線の長さｌ３を、左側の側辺１６Ｌａ２と左前身頃１２ＦＬの脇線１２ＦＬａとを縫合する縫合線の長さｌ４の半分以下となるように構成した。なお、この実施例では、縫合線の長さｌ１をおよそ３．５ｃｍ，ｌ３をおよそ５ｃｍに設定すると共に、ｌ２とｌ４をおよそ１５ｃｍに設定した。
【００４２】
これにより、股関節部分、特に股間部に近い股関節部分にポケット袋布１６Ｒａ，１６Ｌａが位置しなくなり（張られなくなり）、ポケット袋布１６Ｒａ，１６Ｌａと股関節等との干渉が減って股関節等が動かし難くなるなどの問題が大幅に軽減される。
【００４３】
また、例えば縫合線の長さｌ１とｌ２またはｌ３とｌ４を同じような長さにして前身頃１２ＦＲ，１２Ｆｌに縫合すると、ポケット袋布１６Ｒａ，１６Ｌａのサイズが大きくなりすぎて前ポケット１６Ｒ，１６Ｌから物が取り難くなると共に、ポケット袋布１６Ｒａ，１６Ｌａによる腹部を押さえる力が弱くなるという不都合がある。しかしながら、上記したように、縫合線の長さｌ１をｌ２の半分以下とし、ｌ３もｌ４の半分以下とすることで、これらの不都合は解消する。
【００４４】
上記した如く、この実施例にあっては、右前身頃１２ＦＲの脇線１２ＦＲａと右後身頃１２ＲＲの脇線１２ＲＲａを縫合すると共に、前記右前身頃の内股線１２ＦＲｂと前記右後身頃の内股線１２ＲＲｂを縫合して形成される右身頃１２Ｒと、左前身頃１２ＦＬの脇線１２ＦＬａと左後身頃１２ＲＬの脇線１２ＲＬａを縫合すると共に、前記左前身頃の内股線１２ＦＬｂと前記左後身頃の内股線１２ＲＬｂを縫合して形成される左身頃１２Ｌと、前記右身頃と左身頃の穿き口側の端部に接続されるベルト部１４と、前記右前身頃に設けられる右前ポケット１６Ｒと、前記左前身頃に設けられる左前ポケット１６Ｌと、前記右前身頃に設けられ、前開きを構成する持出し部２８と、前記左前身頃に設けられ、前記持出し部を覆う前立て部３０とを備えるジーンズ１０において、前記右前身頃の裏面側に位置する前記右前ポケットのポケット袋布（右ポケット袋布）１６Ｒａの右側の側縁（側辺）１６Ｒａ２を前記右前身頃の脇線に縫合し、左側の側縁（側辺）１６Ｒａ３を前記持出し部に縫合すると共に、前記左前身頃の裏面側に位置する前記左前ポケットのポケット袋布（左ポケット袋布）１６Ｌａの左側の側縁（側辺）１６Ｌａ２を前記左前身頃の脇線に縫合し、右側の側縁（側辺）１６Ｌａ３を前記前立て部に縫合するように構成したので、左右のポケット袋布１６Ｒａ，１６Ｌａで着用者の腹部を引き締めることができる。
【００４５】
すなわち、左右のポケット袋布１６Ｒａ，１６Ｌａの両側縁１６Ｒａ２，１６Ｒａ３，１６Ｌａ２，１６Ｌａ３を一定の張力をもって前身頃１２ＦＲ，１２ＦＬに縫合することも可能となるため、ポケット袋布１６Ｒａ，１６Ｌａによって腹部を押さえて引き締めることができる。また、腹部を引き締めるのに、裏地などを用いる必要もないので、簡易な構成とすることができ、しかも生地が嵩張って外観上のデザインに悪影響を及ぼすこともない。
【００４６】
また、前記ベルト部と前記右前ポケットの間と前記ベルト部と前記左前ポケットの間にそれぞれヨーク（右前ヨーク、左前ヨーク）３２Ｒ，３２Ｌを縫合するように構成したので、ヨーク３２Ｒ，３２Ｌの縫合部（ステッチ）３２Ｒｓ，３２Ｌｓによっても腹部を引き締めることができる。すなわち、縫合部３２Ｒｓ，３２Ｌｓは生地のように伸びずに硬くなるため、この縫合部３２Ｒｓ，３２Ｌｓによっても腹部を押さえて引き締めることができる。したがって、上記したポケット袋布１６Ｒａ，１６Ｌａと相俟って、腹部の引き締め効果を一層高めることができる。さらに、縫合部３２Ｒｓ，３２Ｌｓは前身頃１２ＦＲ，１２ＦＬに横方向に直線上に延びるので、視覚的にも腹部周辺をシャープに見せることができる。
【００４７】
また、前記右前ポケットのポケット袋布の前記左側の側縁と前記持出し部とを縫合する縫合線の長さｌ１を、前記右前ポケットのポケット袋布の前記右側の側縁と前記右前身頃の脇線とを縫合する縫合線の長さｌ２よりも小さくすると共に、前記左前ポケットのポケット袋布の前記右側の側縁と前記前立て部とを縫合する縫合線の長さｌ３を、前記左前ポケットのポケット袋布の前記左側の側縁と前記左前身頃の脇線とを縫合する縫合線の長さｌ４よりも小さくするように構成したので、ポケット袋布１６Ｒａ，１６Ｌａの両側縁１６Ｒａ２，１６Ｒａ３，１６Ｌａ２，１６Ｌａ３を前身頃１２ＦＲ，１２ＦＬに縫合して着用者の腹部を押さえるようにしても、それによって着用者の動きが制限される（動き難くなる）ということはない。すなわち、縫合線の長さｌ１，ｌ２，ｌ３，ｌ４を上記のように工夫することで、ポケット袋布１６Ｒａ，１６Ｌａの両側縁１６Ｒａ２，１６Ｒａ３，１６Ｌａ２，１６Ｌａ３を前身頃１２ＦＲ，１２ＦＬに縫合したことによる動き難さが軽減される。
【００４８】
また、前記右前ポケットのポケット袋布の前記左側の側縁と前記持出し部とを縫合する縫合線の長さｌ１を、前記右前ポケットのポケット袋布の前記右側の側縁と前記右前身頃の脇線とを縫合する縫合線の長さｌ２の半分以下とすると共に、前記左前ポケットのポケット袋布の前記右側の側縁と前記前立て部とを縫合する縫合線の長さｌ３を、前記左前ポケットのポケット袋布の前記左側の側縁と前記左前身頃の脇線とを縫合する縫合線の長さｌ４の半分以下とするように構成したので、ポケット袋布１６Ｒａ，１６Ｌａの両側縁１６Ｒａ２，１６Ｒａ３，１６Ｌａ２，１６Ｌａ３を前身頃１２ＦＲ，１２ＦＬに縫合したことによる動き難さが一層軽減される。また、着用者の腹部を一層しっかりと押さえることができる。
【００４９】
なお、実施例では、ジーンズ１０を女性用ジーンズとして説明したが、もちろん男性用のジーンズであっても良い。また、ファスナ２８ａ，３０ａを備える前開きを示したが、ボタン式の前開きであっても良い。
【００５０】
また、前ヨーク３２Ｒ，３２Ｌの形状は、台形状のものに限定されるものではなく、例えば矩形状のものであっても良い。
【００５１】
また、ポケット袋布１６Ｒａ，１６Ｌａの下側の辺１６Ｒａ４，１６Ｌａ４の形状が湾曲状のものを示したが、この形状に限定されるものではなく、例えば直線的に屈曲するものや斜め直線状に傾斜するような形状の辺としても良い。
【００５２】
また、ポケット袋布１６Ｒａ，１６Ｌａの縫合線の長さｌ１からｌ４について具体的な数値で示したが、それらの数値は例示であり、サイズや仕様などに応じて適宜変更されるものである。
【符号の説明】
【００５３】
１０  ジーンズ、１２Ｒ  右身頃、１２Ｌ  左身頃、１２ＦＲ  右前身頃、１２ＦＬ  左前身頃、１２ＲＲ  右後身頃、１２ＲＬ  左後身頃、１２ＦＲａ  右前身頃の脇線、１２ＦＬａ  左前身頃の脇線、１２ＲＲａ  右後身頃の脇線、１２ＲＬａ  左後身頃の脇線、１２ＦＲｂ  右前身頃の内股線、１２ＦＬｂ  左前身頃の内股線、１２ＲＲｂ  右後身頃の内股線、１２ＲＬｂ  左後身頃の内股線、１４  ベルト部、１６Ｒ  右前ポケット、１６Ｌ  左前ポケット、１６Ｒａ  右前ポケットのポケット袋布、１６Ｌａ  左前ポケットのポケット袋布、１６Ｒａ２  右前ポケットのポケット袋布の右側の側縁、１６Ｒａ３  右前ポケットのポケット袋布の左側の側縁、１６Ｌａ２  左前ポケットのポケット袋布の左側の側縁、１６Ｌａ３  左前ポケットのポケット袋布の右側の側縁、２８  持出し部、３０  前立て部、３２Ｒ  右前ヨーク、３２Ｌ  左前ヨーク、ｌ１  右前ポケットのポケット袋布の左側の側縁と持出し部とを縫合する縫合線の長さ、ｌ２  右前ポケットのポケット袋布の右側の側縁と右前身頃の脇線とを縫合する縫合線の長さ、ｌ３  左前ポケットのポケット袋布の右側の側縁と前立て部とを縫合する縫合線の長さ、ｌ４  左前ポケットのポケット袋布の左側の側縁と左前身頃の脇線とを縫合する縫合線の長さ
【図１】
0003191819.tif 000003
【図２】
0003191819.tif 000004
【図３】
0003191819.tif 000005
【図４】
0003191819.tif 000006
【図５】
0003191819.tif 000007
【図６】
0003191819.tif 000008